(57)【要約】【課題】二重構造のペット用トイレの上部側に敷き詰めて使用するトイレ砂であって、尿がかかって悪臭が発し始める４〜５日後には崩壊して簀の子状部材の下方に落下し、悪臭が発する前にその交換が容易にできること。【解決手段】杉の木粉１００重量部に、コーンスターチ４重量部、固形パラフィン粉末１．５重量部及び硫酸アルミニウム０．５重量部を加え、リボンミキサーで撹拌混合した後に、適量の水分を加えて更にリボンミキサーで混練し、その後、ロール式加圧成形機（ディスクペレッタ）でペレット状に造粒した。そのペレット径を５ｍｍにし、長さは７ｍｍにカットした。その後、振動乾燥機で乾燥させた。【選択図】  なし【特許請求の範囲】
【請求項１】
木粉にバインダを加え、更に、それらに対して、猫を含むペット類の尿がかかった場合に４〜５日で崩壊するように崩壊を制御する崩壊制御剤を混合して造粒してなるペット用トイレ砂。
【請求項２】
前記崩壊制御剤として、１００重量部の前記木粉及び前記バインダの混合物に対して、１．５〜２．５重量部の割合となる流動パラフィン、固形パラフィン又は蜜蝋を添加混合した請求項１のペット用トイレ砂。
【請求項３】
前記木粉及びバインダの混合物に消臭剤を添加した請求項１のペット用トイレ砂。
【請求項４】
前記消臭剤として、クエン酸、琥珀酸、リンゴ酸のいずれか又は硫酸アルミニウム、若しくは前者の一つと後者との混合物を採用した請求項３のペット用トイレ砂。
【発明の詳細な説明】
【技術分野】
【０００１】
本発明は、ペット用のトイレ、特に猫用の上下二重構造のペット用トイレの上部側の簀の子状部材上に敷き詰めて使用する、尿がかかった後４〜５日程度で崩壊するペット用トイレ砂に関する。
【背景技術】
【０００２】
上下二重構造のペット用トイレの上部側の簀の子状部材上に配して使用するペット用トイレ砂に関しては、いくつかの提案例がある。
【０００３】
特許文献１は、ペット用排泄物処理材に関するもので、植物由来の素材の粉砕物を主構成基材としたペット用排泄物処理材であって、植物由来の素材の粉砕物を７０〜９８．９９質量％、合成樹脂を１〜２０質量％、およびテクトケイ酸塩を０．０１〜５質量％含むものである。それぞれの粉体の混合物を該合成樹脂の融点以上の温度で押し出し成形することでペレット状のペット用排泄物処理材が製造される。
【０００４】
この特許文献１のペット用排泄物処理材は、以上のような構成であり、溶融した合成樹脂で混合した植物由来の素材の粉砕物等を相互に接着しペレット状の粒体に成形するものであり、極めて高い保形成を有することは確かである。それ故、前記二重構造のペット用トイレの上部側の簀の子部材上に敷き詰めて使用した場合に１か月以上も使用を継続できるとされている。尿を吸収すると、僅かにこれを吸収し、その植物由来の素材および的とケイ酸塩の消臭作用により、長期にわたって消臭作用も継続する、とされている。
【０００５】
しかし、１か月もの長期にわたって使用した場合は、僅かずつであっても尿の吸収を継続することは困難であり、植物由来の素材やテクトケイ酸塩の消臭作用のみで１か月もの長期にわたって消臭作用を継続することも極めて困難である。本件出願人の知見によれば短ければ４〜５日、長くても１週間乃至１０日を経過するほどになれば、ペット用排泄物処理材の表面に付着した尿の吸収は不十分となり、更に吸収した尿も含めて腐敗がかなり進み、悪臭が立ち上るようになることが明らかである。しかも、この特許文献１のペット用排泄物処理材は、外観の変化が極力少なくなるように構成されているため、前記のように、ペット用トイレの簀の子状部材上に敷き詰めたペット用排泄物処理材のうち、尿がかかり、悪臭を発するようになったそれとそうでないそれとの区別が困難であり、悪臭を発するそれのみを除去することが容易でない問題も生じる。
【０００６】
特許文献２は、ペット用排泄物処理材に関するもので、植物由来の素材の粉砕物を７０〜９７重量％、および合成樹脂を３〜３０重量％含み、所定形状に成形された成型物からなり、吸水しても崩壊しない程度の十分な保形性を有するものである。
【０００７】
特許文献１とほぼ同様のことが云えるが、この基本構成要素のみでは、消臭性能が不十分であり、長期にわたって形状を保持することはできるであろうが、前記の二重構造のペット用トイレの簀の子状部材の上に敷き詰めて使用した場合、使用開始から４〜５日を経過すれば、尿のかかったペット用排泄物処理材から悪臭が立ち上るようになってしまうことは明らかである。また尿のかかったものとそうでないものとの区別も容易でないため、悪臭を発しているもののみを選択的に除去することも容易でない問題もある。
【０００８】
特許文献３は、ペット用排泄物処理材に関するもので、植物由来の素材の粉砕物および無機粉体を含有し、吸水することにより自己崩壊するものである。
【０００９】
このペット用排泄物処理材は、二重構造のペット用トイレの上部の簀の子状部材上に敷き詰めて使用し、下部に尿吸収体を配することを必要としないものである、とされる。十分な吸水性を有するため、簀の子状部材を通じて尿がその下方に流下することはない、とされ、更に尿を吸収すると直ちに自己崩壊し、簀の子状部材を通じてその下方に落下し、尿のかかったものとそうでないものとを明瞭に区別できるようにし、容易にそれを除去し得るものとし、不足分を補充できるようにしたものであるとされる。確かにそのとおりであると思われるが、猫の一回の排尿で崩壊し、その補充を必要とするというのでは、経済的であるとは言い難いと考える。
【先行技術文献】
【特許文献】
【００１０】
【特許文献１】特開２００６−３４５８３０号公報
【特許文献２】特開２００２−８４９０９号公報
【特許文献３】特開２００７−１７４９４２号公報
【発明の概要】
【発明が解決しようとする課題】
【００１１】
本発明は、以上の従来技術の問題点を解決し、上下を簀の子状部材で仕切って、下部にはシート状の尿吸収用体を配し、かつ上部の簀の子状部材上にはトイレ砂を配する二重構造のペット用トイレの上部側に配するのに適するトイレ砂であって、猫等のペットの尿がかかった場合に尿が腐敗して悪臭が立ち上るようになる４〜５日後には崩壊して上記簀の子状部材の下方に落下することにより、尿がかかったものとそうでないものとの区別が容易につき、悪臭が立ち上るようになる前に、その交換が容易にできるペット用トイレ砂を提供することを解決の課題とする。
【課題を解決するための手段】
【００１２】
本発明の１は、木粉にバインダを加え、更に、それらに対して、猫を含むペット類の尿がかかった場合に４〜５日で崩壊するように崩壊を制御する崩壊制御剤を添加・混合して造粒してなるペット用トイレ砂である。
【００１３】
本発明の２は、本発明の１のペット用トイレ砂において、
前記崩壊制御剤として、１００重量部の前記木粉及び前記バインダの混合物に対して、１．５〜２．５重量部の割合となる流動パラフィン、固形パラフィン又は蜜蝋を添加混合したものである。
【００１４】
本発明の３は、本発明の１のペット用トイレ砂において、
前記木粉及びバインダの混合物に消臭剤を添加したものである。
【００１５】
本発明の４は、本発明の３のペット用トイレ砂において、
前記消臭剤として、クエン酸、琥珀酸、リンゴ酸のいずれか又は硫酸アルミニウム、若しくは前者の一つと後者との混合物を採用したものである。
【発明の効果】
【００１６】
本発明の１のペット用トイレ砂によれば、例えば、簀の子状部材で上下を仕切った二重構造で、該簀の子状部材の上側には、ペット用トイレ砂を、下方には尿等の水分を吸収するシート状の排泄物吸収体を、それぞれ配して使用する基本構成のペット用トイレにおいて、その簀の子状部材の上側に配して、ペット類の尿に起因する悪臭の発生を回避しつつ経済的に使用することができる。
【００１７】
猫等のペット類の尿は、トイレ砂にかかると、該トイレ砂に特別な処理を施しておかないかぎり、室温２０〜２５℃程度の中に置かれた場合は、概ね４〜５日で、その粒体の表面に付着したそれ及びその内部に吸収された若干のそれのいずれも腐敗が進行し、不快な臭いが立ち上り始めるようになる。
【００１８】
前記崩壊制御剤の、木粉及びバインダの混合物に対する混合割合を、トイレ砂上にペット類の排尿が４〜５日間繰り返して行われた場合に、トイレ砂のうち、臭いを発するようになる一定量以上の尿がかかったトイレ砂がほぼ４〜５日で崩壊するように設定しておくことにより、当然、その段階、すなわち、トイレ砂への排尿開始から４〜５日で崩壊することになる。
【００１９】
このように崩壊したトイレ砂の崩壊物は、簀の子状部材を通じて下方のシート状の排泄物吸収体上に落下することになる。落下した崩壊物は、排泄物吸収体の廃棄の時期と一致していれば、それと共に廃棄することができる。そうでなければ、該排泄物吸収体の上に落下したトイレ砂の崩壊物のみを掃き集めて廃棄することができる。従って尿がかかったトイレ砂のみを選択的に廃棄できるので経済的である。また尿がかかって臭いが立ち始める時点で該当するトイレ砂を、以上のように、選択的に廃棄できるので、ペット用トイレから悪臭が発するのを回避することができる。
【００２０】
いずれにしても、本発明の１のペット用トイレ砂は、その上に尿が繰り返し掛けられると、崩壊制御剤の混合割合を適切に調節することで、概ね４〜５日で崩壊するように構成することが可能であり、尿がかかって崩壊したトイレ砂は、簀の子状部材を通じてその下方に落下することになる。それ故、尿のかかったトイレ砂を容易に尿のかかっていないトイレ砂から分離して除去することが可能になる。しかも、前記したように、特別な処理をしない限り、尿のかかったトイレ砂は、尿がかかってから４〜５日で悪臭が立ち上り始めるようになるが、以上のように、ほぼその経過時間と時期を同じくして尿のかかったトイレ砂を崩壊させるように制御し、崩壊物を簀の子状部材の下方に落下するようにしたため、悪臭を発し始める時点でこれを除去することが可能になるものである。従って臭いの発生を適切に回避することができる。
【００２１】
本発明の２のペット用トイレ砂によれば、前記崩壊制御剤として、流動パラフィン、固形パラフィン又は蜜蝋を採用し、これらのいずれかを、１００重量部の前記木粉及び前記バインダの混合物に対して１．５〜２．５重量部となる割合で添加混合することしたため、猫等のペット類が４〜５日間、その上に排尿を繰り返した場合に崩壊するようにその崩壊を制御することができる。ペット類及び周囲環境に害悪を与えることなく、安価な手段で崩壊を制御することが可能であり、本発明の１のペット用トイレ砂について述べたのと同様な効果を得ることができる。
【００２２】
本発明の３のペット用トイレ砂によれば、尿がかかってから崩壊し、それが除去されるまで確実に臭いの発生を防止することができる。このペット用トイレ砂の主材である木粉は、それ自体に吸水機能に加えて消臭機能をも備えるものではあるが、尿及びその腐敗物の臭いを数日間にわたって確実に抑えるには若干の不足を認めざるを得ない。本発明の３のペット用トイレ砂では、木粉の以上の消臭機能に加えて、消臭剤を添加したため、尿に起因する強い悪臭が立ち上り始める４〜５日までほぼ確実にその臭いを抑えることができるようになる。
【００２３】
本発明の４のペット用トイレ砂によれば、悪臭を、悪臭成分を分解するか、または悪臭成分を凝集し、かつ閉じこめることにより抑えるか、若しくはその双方の作用によりより効果的に悪臭を抑えることができる。
【発明を実施するための形態】
【００２４】
本発明はペット用トイレ砂に関するものである。
【００２５】
本発明のペット用トイレ砂は、木粉にバインダを加え、更に、その混合物に対して、ペット類に尿がかかった場合に４〜５日で崩壊するように崩壊を制御する崩壊制御剤を混合して造粒してなるものである。
【００２６】
前記崩壊制御剤としては、木粉を主材とし、これにバインダを混合して造粒した粒体の尿がかかった場合の崩壊のしやすさを適切に制御できる種々の成分を採用することができる。当然に、そのトイレ砂を使用するペット類の健康や飼い主の健康を含めた環境への負荷を増大させないこと、その他の安全性に問題のないものである必要はある。このような崩壊制御剤として、具体的には、パラフィン類が適当である。例えば、流動パラフィン、固形パラフィン又は蜜蝋を採用することができる。
【００２７】
前記崩壊制御剤の木粉及びバインダの混合物に対する混合割合は、ペット用トイレ砂が、ペット類の尿を受けたペット用トイレ砂から悪臭が立ち上り始める時期である、尿を受け始めてから４〜５日目（室温２０〜２５℃に置かれた場合）にそれが崩壊するように定めるべきものである。この割合は、当然、崩壊制御剤の種類にもよるが、木粉に加えられるバインダの種類及びペットの種類にもよる。ペットの種類は、主として、そのペットの１日当たりの排尿回数及び１回当たりの排尿量に関係し、それに応じて、多くの場合は、１日当たりの排尿回数及び排尿量が多ければ、崩壊制御剤の添加割合は低くすべきであり、逆の場合は高くすべきである。
【００２８】
前記崩壊制御剤として前記流動パラフィンや蜜蝋等のパラフィン類を採用した場合は、前記の制御結果を生じさせるためには、該パラフィン類を、１００重量部の前記木粉及び前記バインダの混合物に対して、１．５〜２．５重量部程度の割合で添加混合するのが適当である。ペット類が猫である場合には、１回の排尿量が１５ｃｃ〜２５ｃｃで、１日の排尿回数が２〜５回であることが普通であり、これを前提として前記添加割合を設定すべきものであり、多くの場合は、上記の割合が適当である。前記１．５〜２．５重量部の中のどの辺りを選択するかは、対象の猫の体格や年齢又は種類等を考慮して決定することができる。
【００２９】
前記木粉は、ペット用トイレ砂の主材であり、これは、針葉樹又は広葉樹に特定することなく種々の樹種の粉末を自由に採用することができる。その粉末サイズも特定のそれに限定されない。
【００３０】
前記バインダも特定のそれに限定されない。例えば、コーンスターチ、グアーガム、アルギン酸ナトリウム、キサンタンガム、ビーンガム、カラーギンナン、グルテン、タピオカデンプン、カルボキシメチルセルロース、メチルセルロース、エチルセルロース、ヒドロキシメチルセルロース、ヒドロキシエチルセルロース又はベントナイト等を採用することができる。
【００３１】
なお、前記木粉とバインダとは、例えば、その種類毎に、木粉：コーンスターチ又はタピオカデンプン＝１００：３〜５、木粉：グアーガム＝１００：１〜２、木粉：ベントナイト＝１００：４〜５のような割合で混合するのが適当である。いずれも重量比である。
【００３２】
前記木粉とバインダの混合物には、更に消臭剤を添加するのが適当である。木粉はそれ自体で若干の消臭性能を有するものではあるが、尿がかかり始めてから４〜５日目辺りで若干の悪臭が立ち始める可能性がある。このように若干の消臭剤を添加しておくことにより、それを確実に回避することができる。この消臭剤としては、クエン酸、琥珀酸、リンゴ酸のいずれか又は硫酸アルミニウムを採用することができる。前者は臭い成分を分解することが可能であり、後者は臭い成分を凝集して閉じこめることができる。両者を同時に採用することも可能であり、その場合は、両者の作用が相まってより効果的な消臭作用を得ることができる。
【００３３】
前記木粉とバインダの混合物には更に抗菌剤を添加することもできる。これによってトイレ砂を衛生的に保持でき、尿の早期の腐敗も回避できる。それ故、これによって悪臭の発生を一層抑えることも可能になる。
【００３４】
このような本発明のペット用トイレ砂は、自由に種々の製造方法で製造することができる。例えば、木粉とバインダとの混合物に崩壊制御剤及び消臭剤等を添加し、撹拌し、更に加水混練した上で湿式加圧成形し、その後、得られた成形物を乾燥し、適度な大きさに裁断又は解砕する工程で製造することができる。
【００３５】
または、木粉とバインダとの混合物に崩壊制御剤及び消臭剤等を添加し、撹拌し、更に加水混練した上で湿式加圧成形し、その後、得られた成形物を適度な大きさに裁断又は解砕してから乾燥する工程で製造することもできる。
【００３６】
以上の製造工程に於いて、木粉、バインダ、崩壊制御剤及び消臭剤等を撹拌混合するための撹拌混合手段としては、リボンミキサーやヘンシェルミキサー等を用いることができる。また加水混練手段としては、リボンミキサーやニーダー等を用いることができる。湿式加圧成形装置としては、ロール式加圧成形機（ディスクペレッタ）等を用いることができる。また乾燥手段としては、振動乾燥機、箱形乾燥機又はロータリードライヤー等を用いることができる。
【００３７】
このペット用トイレ砂の粒形は、任意であり、例えば、棒状、球状、板状、直方体状、円錐状等の種々の形状を自由に採用することができる。またこのペット用トイレ砂の直径、厚み、短辺の長さ等の寸法は、０．１ｍｍ〜１０ｍｍ、好ましくは、２ｍｍ〜６ｍｍである。
【００３８】
このような本発明のペット用トイレ砂は、例えば、簀の子状部材で上下を仕切った二重構造で、該簀の子状部材の上側には、ペット用トイレ砂を、下方には尿等の水分を吸収するシート状の排泄物吸収体を、それぞれ配して使用する基本構成のペット用トイレにおいて、その簀の子状部材の上側に敷き詰めて使用する。通常、簀の子状部材の上に、２０〜３０ｍｍ程度の厚さに敷き詰めて使用する。ペット用トイレにこのように配して、ペット類、特に猫のトイレ用として使用し、その尿に起因する悪臭の発生を回避しながら、経済的に使用できるものである。詳細は以下の通りである。
【００３９】
以上のように、まず本発明のペット用トイレ砂を前記のようなペット用トイレの簀の子状部材の上に２０〜３０ｍｍ程度の厚さに敷き詰めて使用する。ペット類は、排尿をする場合は、該ペット用トイレの簀の子状部材上のトイレ砂の上でそれを行う。トイレ砂の上で排尿が行われると、トイレ砂にかかった尿は、その表面を流れ落ち、その後は、該トイレ砂の周囲に長く滞留することはなく、簀の子状部材を通じてその下方に流れ落ちる。
【００４０】
ペット類、特に猫の場合は１回の排尿で１５ｃｃ〜２５ｃｃ程度の尿を排出するが、そのうち３重量％程度がトイレ砂の粒体表面に付着することになる。本発明のペット用トイレ砂はある程度の吸水性を有しているので、そのままその表面に付着した状態にとどまることはなく、そのうちの少なくとも一部はその中に吸収されることになる。吸収速度との関係で、他の一部は蒸散することになる。いずれにしてもペット類の排出した尿の大部分（約９７重量％）は、前記のように、簀の子状部材を通じてその下方に流れ落ち、該簀の子状部材の下方に配されているシート状の排泄物吸収体に吸収されることになる。
【００４１】
本発明のペット用トイレ砂は、前記のように、尿がかかった場合に、４〜５日で崩壊するように制御すべく崩壊制御剤を添加混合しておくべきものであり、それ故、猫用として構成する場合は、前記のような態様での尿の吸収、すなわち、猫の１回の排尿量である１５ｃｃ〜２５ｃｃの尿の約３重量％となる０．２２５ｃｃ〜０．３７５ｃｃ程度以下の吸収を８〜２５回程度（前記のように、猫は１日２〜５回排尿するので、２〜５（回）×４〜５（日））繰り返した場合に崩壊するように添加・混合量を調整しておくものであり、そのように調整しておくことにより、そのように、使用開始後４〜５日で崩壊する結果となる。
【００４２】
云うまでもなく、これは、猫の排尿エリアに位置し、その尿に接触するトイレ砂全体に対する条件である。従ってトイレ砂のサイズにもよるが、２０個〜数十個程度のトイレ砂に対する条件であり、そのような数量のトイレ砂が、前記０．２２５ｃｃ〜０．３７５ｃｃ程度以下の吸収を８〜２５回程度繰り返した場合に崩壊するように崩壊制御剤の添加量を調整しておくものである。
【００４３】
なお、ペット類が、前記のように猫の場合は、排尿を、ペット用トイレの簀の子状部材の上の一定の場所に繰り返す傾向がある。そのため、一定場所のトイレ砂に以上のような崩壊条件が成立しやすくなり、使用開始後４〜５日でほぼ確実に尿のかかったトイレ砂を崩壊させる結果を得ることができる。
【００４４】
こうして、ペット用トイレの簀の子状部材の上に敷き詰めた本発明のペット用トイレ砂のうち、該当する部分のトイレ砂、すなわち、尿のかかった部分のトイレ砂は４〜５日で崩壊し、簀の子状部材を通じて下方のシート状の排泄物吸収体上に落下することになる。排泄物吸収体の廃棄の時期と一致していれば、それと共に廃棄することができる。そうでなければ、排泄物吸収体の上に落下したトイレ砂の崩壊物のみを掃き集めて廃棄する。従って尿がかかったトイレ砂のみを選択的に廃棄できるので経済的である。またトイレ砂は臭いが立ち始める４〜５日で崩壊し、尿の付着した又は吸収したトイレ砂の崩壊物を除去できるので、ペット用トイレからの悪臭の発生を回避することができるものでもある。
【００４５】
いずれにしても、本発明のペット用トイレ砂は、その上に尿が繰り返し掛けられると、崩壊制御剤の添加・混合割合を適切に調整することで、概ね４〜５日で崩壊するように構成することが可能であり、尿を吸収し崩壊したトイレ砂は、簀の子状部材を通じてその下方に落下することになる。従って尿のかかったトイレ砂を容易に尿のかかっていないトイレ砂と分離して除去することが可能になる。しかも、前記したように、特別な処理をしない限り、尿のかかったトイレ砂は、尿がかかってから４〜５日で悪臭が立ち上り始めるようになるが、以上のように、ほぼその経過時間と時期を同じくして尿のかかったトイレ砂を崩壊させるように制御し、崩壊物を簀の子状部材の下方に落下するようにしたため、強い悪臭を発するに至る前にこれを除去することが可能になるものである。従って臭いの発生を適切に回避することができる。
【００４６】
また崩壊制御剤として、流動パラフィン、固形パラフィン又は蜜蝋を採用し、これらのいずれかを前記木粉及び前記バインダの混合物（１００重量部）に対して１．５〜２．５重量部の割合で添加混合することとすることにより、猫等のペット類が４〜５日間、その上に排尿を繰り返した場合に崩壊するように容易にその崩壊を制御することができる。ペット類及び周囲環境に害悪を与えることもなく、安価な手段で崩壊を制御可能である。
【００４７】
前記のように、消臭剤を添加した場合は、尿がかかってから崩壊除去するまで確実に臭いの発生を防止することができる。このペット用トイレ砂の主材である木粉は、前記したように、それ自体に吸水機能に加えて消臭機能をも備えているものではあるが、尿及びその腐敗物の臭いを数日間にわたって確実に抑えるには若干不十分である。そこで木粉の消臭機能に加えて、消臭剤を添加した場合は、尿に起因する悪臭が立ち上り始める４〜５日までほぼ確実にその臭いを抑えることができる。また特に前記崩壊制御剤として前記蜜蝋を用いた場合は、その抗菌作用により尿の腐敗を抑え、一層良好に臭いの発生を抑えることができることにもなる。
【実施例】
【００４８】
＜実施例１＞
杉の木粉１００重量部に、コーンスターチ４重量部、固形パラフィン粉末１．５重量部及び硫酸アルミニウム０．５重量部を添加し、リボンミキサーで撹拌混合した後、適量の水分を加えて該リボンミキサーで混練し、その後、ロール式加圧成形機（ディスクペレッタ）でペレット状に造粒した。径を５ｍｍとし、長さは７ｍｍにカットした。その後、振動乾燥機で乾燥させた。
【００４９】
＜実施例２＞
杉の木粉１００重量部に、コーンスターチ４重量部、固形パラフィン粉末２．０重量部及び硫酸アルミニウム０．５重量部を添加し、リボンミキサーで撹拌混合した後、適量の水分を加えて該リボンミキサーで混練し、その後、ロール式加圧成形機（ディスクペレッタ）でペレット状に造粒した。径を５ｍｍとし、長さは７ｍｍにカットした。その後、振動乾燥機で乾燥させた。
【００５０】
＜実施例３＞
杉の木粉１００重量部に、コーンスターチ４重量部、固形パラフィン粉末２．５重量部及び硫酸アルミニウム０．５重量部を添加し、リボンミキサーで撹拌混合した後、適量の水分を加えて該リボンミキサーで混練し、その後、ロール式加圧成形機（ディスクペレッタ）でペレット状に造粒した。径を５ｍｍとし、長さは７ｍｍにカットした。その後、振動乾燥機で乾燥させた。
【００５１】
＜実施例４＞
杉の木粉１００重量部に、タピオカデンプン１．５重量部、固形パラフィン粉末２重量部及びクエン酸０．５重量部を添加し、リボンミキサーで撹拌混合した後、適量の水分を加えて該リボンミキサーで混練し、その後、ロール式加圧成形機（ディスクペレッタ）でペレット状に造粒した。径を５ｍｍとし、長さは７ｍｍにカットした。その後、振動乾燥機で乾燥させた。
【００５２】
＜実施例５＞
杉の木粉１００重量部に、タピオカデンプン１．５重量部、蜜蝋粉末２重量部、硫酸アルミニウム０．５重量部及びクエン酸０．５重量部を添加し、リボンミキサーで撹拌混合した後、適量の水分を加えて該リボンミキサーで混練し、その後、ロール式加圧成形機（ディスクペレッタ）でペレット状に造粒した。径を５ｍｍとし、長さは７ｍｍにカットした。その後、振動乾燥機で乾燥させた。
【００５３】
＜実施例６＞
杉の木粉１００重量部に、ベントナイト５重量部及び流動パラフィン２重量部を添加し、リボンミキサーで撹拌混合した後、適量の水分を加えて該リボンミキサーで混練し、その後、ロール式加圧成形機（ディスクペレッタ）でペレット状に造粒した。径を５ｍｍとし、長さは７ｍｍにカットした。その後、振動乾燥機で乾燥させた。
【００５４】
＜崩壊試験＞
−試験方法−
トレーを、簀の子状部材で、深さ方向に二つに仕切った二重構造で、上部の簀の子状部材の上側には、ペット用トイレ砂を、下側のトレー底部上には尿等の水分を吸収するシート状の排泄物吸収体を、それぞれ配して使用する基本構成のペット用トイレを使用し、その簀の子状部材の上に試験対象のペット用トイレ砂を２５ｍｍの厚さで敷き詰め、そのトイレ砂の一定範囲の位置に、洗浄ビンに入れた人工尿２０ｃｃをそのノズルを通じて放水した。この人工尿２０ｃｃの放水を１日５回繰り返し、これを５日間継続し、人工尿のかかった試験対象のトイレ砂を観察する。またその間の臭いの放出の有無を大人５人で確認する。
【００５５】
試験対象  ：  実施例１〜６のペット用トイレ砂及び比較例のペット用トイレ砂
【００５６】
比較例のペット用トイレ砂  ：  杉の木粉１００重量部にコーンスターチ４重量部を添加し、リボンミキサーで撹拌混合した後、適量の水分を加えて該リボンミキサーで混練し、その後、ロール式加圧成形機（ディスクペレッタ）でペレット状に造粒したものであり、径は３ｍｍとし、長さは７ｍｍにカットし、その後、振動乾燥機で乾燥させたものである。実施例１のペット用トイレ砂に混合されている固形パラフィン及び硫酸アルミニウムを含んでいないものである。
【００５７】
【表１】
2012213366.tif 000002
【００５８】
＜考察＞
以上の表１は、試験結果を示すものである。
以上の試験結果から、トイレ砂に適正割合のパラフィンを添加混合してあれば、猫用トイレ砂として用いた場合、ほぼ確実に４〜５日で崩壊し、簀の子状部材の下方にこれを通じて落下することが分かる。
また以上の実施例１〜３の結果を見ると、パラフィン類の添加割合が大きくなると早く崩壊するのが分かる。すなわち、パラフィン類の添加割合で崩壊の進行の速さをコントロールすることができることが分かる。
【００５９】
更に実施例１〜５の結果から消臭剤を添加しておけば、４〜５日目まで悪臭が発生しないことが明らかであり、実施例６の結果から消臭剤を添加しなくても４日目で微臭が発生する程度であり、消臭剤を添加しなくても実用上殆ど問題にならないことが分かる。
またこの試験に用いたペット用トイレの簀の子状部材の上に敷き詰めて使用するような用法では、多量の尿がトイレ砂の周囲に滞留することがないので、パラフィン類のような崩壊制御剤を添加しなければ、猫の排尿程度では、４〜５日までに容易に崩壊しないことが、比較例の結果から分かる。
【００６０】
従ってこれらの実施例１〜６のトイレ砂によれば、猫用のトイレ砂として用いた場合、尿のかかったそれらは、４〜５日目で崩壊して簀の子状部材の下方に落下するので、これらを選択的の除去することが可能であり、かつ、概ね、この時点までは、強い臭いを発することはないので、ペット用トイレを悪臭の発生しない状態に保持することができる。また尿がかかると直ちに崩壊するトイレ砂と比較して、臭いが発生する直前まで使い切ることができるので経済的でもある。
【産業上の利用可能性】
【００６１】
本発明のペット用トイレ砂及びその製造方法は、ペット用品の製造及び販売の分野で有効に利用することができる。